(57)【要約】【課題】目地におけるガタツキの発生を抑えることができる空気調和機の室内機を提供する。【解決手段】空気調和機の室内機は、上部ケーシングと下部ケーシングと固定部７０と被固定部７１とを備える。上部ケーシングは、第１下端面５５を有する。下部ケーシングは、第１下端面５５との間に第１目地Ｌ１を構成する第１上端面６５を有する。固定部７０は、係止面７４を有し、上部ケーシングに設けられる。被固定部７１は、係止面７４に係止する被係止面７７を有し、下部ケーシングに設けられる。そして、係止面７４および被係止面７７の少なくとも一方は、第１下端面５５と第１上端面６５とが対向した状態で第１目地Ｌ１に沿ってスライドすることによって他方に対して摺動して第１目地Ｌ１が閉じる方向へと他方を押すように第１目地Ｌ１に対して傾斜している。【選択図】        図９
2005016746.tif 000002
【特許請求の範囲】
【請求項１】
第１端面（５５）を有する第１ケーシング（５）と、
前記第１端面（５５）との間に目地（Ｌ１）を構成する第２端面（６５）を有する第２ケーシング（６）と、
係止面（７４）を有し前記第１ケーシング（５）に設けられる固定部（７０）と
前記係止面（７４）に係止する被係止面（７７）を有し前記第２ケーシング（６）に設けられる被固定部（７１）と、
を備え、
前記係止面（７４）および前記被係止面（７７）の少なくとも一方は、前記第１端面（５５）と前記第２端面（６５）とが対向した状態で前記目地（Ｌ１）に沿ってスライドすることによって他方に対して摺動して前記目地（Ｌ１）が閉じる方向へと前記他方を押すように前記目地（Ｌ１）に対して傾斜している、
空気調和機の室内機（１）。
【請求項２】
前記係止面（７４）と前記被係止面（７７）とは、前記目地（Ｌ１）が表れる前記第１ケーシング（５）および前記第２ケーシング（６）の平面（４０，４１）に対して略垂直に設けられており、前記第１ケーシング（５）と前記第２ケーシング（６）とが固定された状態では、前記目地（Ｌ１）に対して略垂直であり且つ前記平面（４０，４１）に平行な第１方向（Ｄ１）に並んで対向する、
請求項１に記載の空気調和機の室内機（１）。
【請求項３】
前記固定部（７０）は、
前記第１方向（Ｄ１）へと前記第１端面（５５）から突出する本体部（７２）と、
前記本体部（７２）の先端に凸設され、前記平面（４０，４１）に対して略垂直な第２方向（Ｄ２）へと前記本体部（７２）から突出するように前記係止面（７４）が設けられる爪部（７３）と、
を有し、
前記被固定部（７１）は、
前記本体部（７２）と前記第２方向（Ｄ２）に並んで対向し、前記被係止面（７７）が前記係止面（７４）と前記第１方向に並んで対向するように設けられた第１部材（７５）、
を有する、
請求項２に記載の空気調和機の室内機（１）。
【請求項４】
前記第１部材（７５）は、前記平面（４０，４１）に対して前記第２方向（Ｄ２）に隙間を隔てて設けられ、
前記本体部（７２）は、前記第１端面（５５）と前記第２端面（６５）とが対向した状態で前記目地（Ｌ１）に沿ってスライドすることによって、前記隙間に挿入される、
請求項３に記載の空気調和機の室内機（１）。
【請求項５】
前記被固定部（７１）は、
前記第２ケーシング（６）と前記第１部材（７５）とを繋ぎ、前記隙間の挿入方向の空間を閉じる第２部材（７６）、
を有する、
請求項４に記載の空気調和機の室内機（１）。
【請求項６】
前記目地（Ｌ１）は、前記第１ケーシング（５）と前記第２ケーシング（６）とが組み合わされて形成される本体ケーシング（４）の側面（４０，４１）に表れる、
請求項１から５のいずれかに記載の空気調和機の室内機（１）。
【請求項７】
前記固定部（７０）と前記被固定部（７１）とは、前記本体ケーシング（４）の両側面（４０，４１）にそれぞれ設けられる、
請求項６に記載の空気調和機の室内機（１）。
【請求項８】
前記第１ケーシング（５）と第２ケーシング（６）とは上下に組み合わされ、
前記目地（Ｌ１）は、側面視において水平方向に延びる、
請求項６または７に記載の空気調和機の室内機（１）。
【発明の詳細な説明】
【０００１】
【発明の属する技術分野】
本発明は、空気調和機の室内機に関する。
【０００２】
【従来の技術】
空気調和機の室内機は、種々の構成部品を収納する本体ケーシングを備えており、この本体ケーシングは、第１ケーシングと第２ケーシングとのように別体に形成されたケーシングを組み合わせて構成されることが多い。例えば、前面グリルと底フレームとを前後から嵌合させて構成される本体ケーシングがある。従来の空気調和機の室内機では、前面グリルの天面側後端に設けられた係合爪と、底フレームの天面側前端に設けられた係合孔とが備えられ、係合爪を前後方向から係合孔に挿入して係合爪と係合孔とを係合させる。また、前面グリルの下面側に設けられた螺子孔と、底フレームの下面側に設けられた螺子孔とが備えられ、これらの螺子孔に螺子が通されることによって、前面グリルと底フレームとが固定される（特許文献１参照）。
【０００３】
【特許文献１】
特開平１１−６６３３号公報  第１図
【０００４】
【発明が解決しようとする課題】
上記のような空気調和機の室内機では、本体ケーシングには、第１ケーシングと第２ケーシングとの間に目地が表れる。しかし、上記のような空気調和機の室内機では、前後方向すなわち目地に垂直な方向から係合爪が係合孔に挿入されるため、係合爪と係合孔との間に隙間が生じ易い。すなわち、係合爪の挿入のために係合孔が係合爪よりも僅かに大きく形成されており、係合爪と係合孔との間に隙間が生じ易い。このため、第１ケーシングと第２ケーシングとの間の目地においてガタツキが生じる恐れがある。
【０００５】
本発明の課題は、目地におけるガタツキの発生を抑えることができる空気調和機の室内機を提供することにある。
【０００６】
【課題を解決するための手段】
請求項１に記載の空気調和機の室内機は、第１ケーシングと第２ケーシングと固定部と被固定部とを備える。第１ケーシングは、第１端面を有する。第２ケーシングは、第１端面との間に目地を構成する第２端面を有する。固定部は、係止面を有し、第１ケーシングに設けられる。被固定部は、係止面に係止する被係止面を有し、第２ケーシングに設けられる。そして、係止面および被係止面の少なくとも一方は、第１端面と第２端面とが対向した状態で目地に沿ってスライドすることによって他方に対して摺動して目地が閉じる方向へと他方を押すように目地に対して傾斜している。
【０００７】
この空気調和機の室内機では、第１端面と第２端面とが対向した状態で目地に沿ってスライドすると、係止面および被係止面の少なくとも一方の傾斜によって、係止面および被係止面の一方が他方を目地が閉じる方向へと押す。このため、固定部と被固定部とによって、第１ケーシングと第２ケーシングとが固定されると共に、固定部と被固定部とにおいて目地が閉じられる方向へと力が働く。これにより、この空気調和機の室内機では、目地におけるガタツキの発生を抑えることができる。
【０００８】
請求項２に記載の空気調和機の室内機は、請求項１に記載の空気調和機の室内機であって、係止面と被係止面とは、目地が表れる第１ケーシングおよび第２ケーシングの平面に対して略垂直に設けられている。また、係止面と被係止面とは、第１ケーシングと第２ケーシングとが固定された状態では、目地に対して略垂直であり且つ平面に平行な第１方向に並んで対向する。
【０００９】
この空気調和機の室内機では、係止面と被係止面とは、目地が表れる第１ケーシングおよび第２ケーシングの平面に対して略垂直に設けられており、第１方向に並んで対向する。このため、係止面と被係止面とが係止することによって、目地に対して略垂直であり且つ目地が表れる第１ケーシングおよび第２ケーシングの平面に平行な方向への第１ケーシングおよび第２ケーシングの移動が規制される。すなわち、目地が開く方向への係止面と被係止面との移動が規制される。従って、係止面と被係止面とが係止することによって、目地の開きが抑えられる。
【００１０】
請求項３に記載の空気調和機の室内機は、請求項２に記載の空気調和機の室内機であって、固定部は、本体部と爪部とを有する。本体部は、目地に対して略垂直であり且つ平面に平行な第１方向へと第１端面から突出する。爪部は、本体部の先端に凸設される。爪部には、平面に対して略垂直な第２方向へと本体部から突出するように係止面が設けられる。また、被固定部は、第１部材を有する。第１部材は、本体部と第２方向に並んで対向する。被固定部には、被係止面が係止面と第１方向に並んで対向するように設けられる。
【００１１】
この空気調和機の室内機では、本体部と第１部材とが第２方向に並んで対向する状態で、被係止面と係止面とが第１方向に並んで対向する。このため、係止面と被係止面とが、目地に対して略垂直であり且つ平面に平行な方向への移動を互いに規制するように係止する。従って、係止面と被係止面とによって、目地が開く方向への第１ケーシングおよび第２ケーシングの移動が規制され、第１ケーシングと第２ケーシングとが固定される。
【００１２】
請求項４に記載の空気調和機の室内機は、請求項３に記載の空気調和機の室内機であって、第１部材は、平面に対して第２方向に隙間を隔てて設けられる。また、本体部は、第１端面と第２端面とが対向した状態で目地に沿ってスライドすることによって、隙間に挿入される。
この空気調和機の室内機では、第１端面と第２端面とが対向した状態で目地に沿ってスライドすることによって、本体部が第１部材と平面との隙間に挿入される。従って、固定部の第２方向への移動が平面と第１部材とによって規制される。このため、固定部と被固定部とが安定的に固定される。
【００１３】
請求項５に記載の空気調和機の室内機は、請求項４に記載の空気調和機の室内機であって、被固定部は、第２部材を有する。第２部材は、第２ケーシングと第１部材とを繋ぎ、隙間の挿入方向の空間を閉じる。
この空気調和機の室内機では、第２部材によって本体部が挿入される隙間の挿入方向の空間が閉じられる。このため、第１端面と第２端面とが対向した状態で目地に沿ってスライドすることによって隙間に挿入された本体部が第２部材によって止められる。これにより、固定部と被固定部とがより安定的に固定される。
【００１４】
請求項６に記載の空気調和機の室内機は、請求項１から５のいずれかに記載の空気調和機の室内機であって、目地は、第１ケーシングと第２ケーシングとが組み合わされて形成される本体ケーシングの側面に表れる。
この空気調和機の室内機では、目地は本体ケーシングの側面に表れる。このため、この空気調和機の室内機では、側面における目地の開きが抑えられ、側面におけるガタツキの発生を抑えることができる。
【００１５】
請求項７に記載の空気調和機の室内機は、請求項６に記載の空気調和機の室内機であって、固定部と被固定部とは、本体ケーシングの両側面にそれぞれ設けられる。
この空気調和機の室内機では、固定部と被固定部とが本体ケーシングの両側面にそれぞれ設けられることによって、両側面が安定的に固定される。これにより、第１ケーシングと第２ケーシングとの間でのガタツキの発生をより抑えることができる。
【００１６】
請求項８に記載の空気調和機の室内機は、請求項６または７に記載の空気調和機の室内機であって、第１ケーシングと第２ケーシングとは上下に組み合わされ、目地は、側面視において水平方向に延びる。
この空気調和機の室内機では、第１ケーシングと第２ケーシングとは上下に組み合わされるため、側面視において水平方向に延びる目地が自重によって上下に開き、目地においてガタツキが発生し易い。しかし、この空気調和機の室内機では、固定部と被固定部とによって目地のガタツキが抑えられる。従って。この空気調和機の室内機では、目地が側面視において水平方向に延びていても目地におけるガタツキの発生を抑えることができる。
【００１７】
【発明の実施の形態】
〔空気調和機の全体構成〕
本発明の一実施形態が採用された空気調和機１００の外観を図１に示す。
この空気調和機１００は、室内の壁面などに取り付けられる壁掛け式の室内機１と、室外に設置される室外機２とを備えている。
【００１８】
室内機１内には室内熱交換器１０が収納され、室外機２内には室外熱交換器２０が収納されており、各熱交換器１０，２０が冷媒配管により接続されることにより冷媒回路を構成している。
〔空気調和機の冷媒回路の構成概略〕
空気調和機１００の冷媒回路の構成を図２に示す。この冷媒回路は、主として室内熱交換器１０、アキュムレータ２１、圧縮機２２、四路切換弁２３、室外熱交換器２０および膨張弁２４で構成される。
【００１９】
室内機１に設けられている室内熱交換器１０は、接触する空気との間で熱交換を行う。また、室内機１には、室内空気を吸い込んで室内熱交換器１０に通し熱交換が行われた後の空気を室内に排出するためのクロスフローファン１１が設けられている。このクロスフローファン１１は、長細い円筒形状に構成され、中心軸が水平方向に平行になるように配置されている。クロスフローファン１１は、室内機１内に設けられる室内ファンモータ１２によって回転駆動される。これらの室内熱交換器１０、クロスフローファン１１、室内ファンモータ１２は、室内機ケーシング３に収容されている。室内機ケーシング３については後に詳細に説明する。
【００２０】
室外機２には、圧縮機２２と、圧縮機２２の吐出側に接続される四路切換弁２３と、圧縮機２２の吸入側に接続されるアキュムレータ２１と、四路切換弁２３に接続された室外熱交換器２０と、室外熱交換器２０に接続された膨張弁２４とが設けられている。膨張弁２４は、液閉鎖弁２６を介して配管に接続されており、この配管を介して室内熱交換器１０の一端と接続される。また、四路切換弁２３は、ガス閉鎖弁２７を介して配管に接続されており、この配管を介して室内熱交換器１０の他端と接続されている。また、室外機２には、室外熱交換器２０での熱交換後の空気を外部に排出するためのプロペラファン２８が設けられている。このプロペラファン２８は、室外ファンモータ２９によって回転駆動される。
【００２１】
〔室内機ケーシングの構成〕
室内機ケーシング３は、図１に示すように、正面視に置いて左右方向Ｄ２に長い外形を有している。室内機ケーシング３は、本体ケーシング４、前面パネル１３、固定手段７，８，９（図５参照）を有する。本体ケーシング４は、上部ケーシング５および下部ケーシング６とが上下に組み合わされて構成されており、室内熱交換器１０やクロスフローファン１１等を内部に収容する。上部ケーシング５は、室内機１の上部を覆っている。下部ケーシング６は室内機１の下部を覆っている。上部ケーシング５と下部ケーシング６とは別体に形成されており（図４参照）、本体ケーシング４の側面視において上部ケーシング５と下部ケーシング６との境界近傍に目地Ｌが表れている。なお、本体ケーシングの左側面４０および右側面４１は同様の構成であり、両側面４０，４１において目地Ｌが表れる。
【００２２】
以下、室内機ケーシング３の各構成について説明する。
〈上部ケーシング〉
上部ケーシング５は、図３に示すように、本体ケーシング４の上部を構成している。上部ケーシング５は、下面側と背面側とが開口しており（図４参照）、下面側が下部ケーシング６によって閉じられ、背面側が図示しない据付板によって閉じられる。
【００２３】
上部ケーシング５の前面５０は格子状に形成されており開口が複数設けられている。この開口の前方は前面パネル１３によって覆われ（図１参照）、前面パネル１３の上部に設けられた吸込み口１４から吸い込まれた空気が開口を通って本体ケーシング４内へと取り込まれる。また、上部ケーシング５の前面５０の下端は、正面視において水平方向に延びる略直線的な形状となっている。
【００２４】
上部ケーシング５の天面５１には、複数のスリット状の開口からなる吸込み口５２が設けられている。この吸込み口５２は、上部ケーシング５の天面５１の前側から後側にかけて複数設けられている。このため、室内機１の天面５１からも十分に空気が吸い込まれる。
上部ケーシング５の側面５３，５４には、左側面５３と右側面５４とがある。図４に示すように、左側面５３の下端面は、前後方向Ｄ３に後側の端部から前側へ向けて水平に延びた後、垂直に下方へと延び、さらに前側へ向けて水平に延びた形状となっている。つまり、左側面５３の下端面は、第１下端面５５、第２下端面５６、第３下端面５７によって構成されている。第１下端面５５は前後方向Ｄ３に後側から前側へと側面視において水平方向に延びており、左側面５３の前後方向長さの約４分の３の長さを有する。第２下端面５６は、第１下端面５５の前端から垂直に下方へと延びている。第３下端面５７は、前後方向Ｄ３に第２下端面５６の下端から前側へ向けて側面視において水平方向に延びており、第３下端面５７の前端は上部ケーシング５の前面５０に達している。第３下端面５７は、左側面５３の前後方向長さの約４分の１の長さを有する。なお、右側面５４についても同様の形状であり、左側面５３と同様に第１下端面５５、第２下端面５６、第３下端面５７によって構成されている。
【００２５】
〈下部ケーシング〉
下部ケーシング６は、本体ケーシング４の下部を構成している。下部ケーシング６は、天面側と背面側とが開口しており、天面側が上部ケーシング５によって閉じられ、背面側の一部が図示しない据付板によって閉じられる。
下部ケーシング６の前面６０の上端は正面視において水平に形成されており、上部ケーシング５の前面５０の下端と合致して水平方向に延びる境界線を構成する（図１参照）。また、下部ケーシング６の前面６０には、正面視における左右方向Ｄ２に長い開口からなる吹出し口６１が設けられている。この吹出し口６１は、クロスフローファン１１が収納されている空間に連通しており、クロスフローファン１１によって生成された空気流が吹出し口６１を通って室内へと吹き出す。
【００２６】
下部ケーシング６の下面６２は、本体ケーシング４の底面を構成し、平坦に形成されている。
下部ケーシング６の側面６３，６４には、左側面６３と右側面６４とがある。左側面６３の上端は、前後方向Ｄ３に後側の端部から前側へ向けて水平方向に延びた後、垂直に下方へと延び、さらに前後方向Ｄ３に前側へ向けて水平方向に延びた形状となっている。つまり、左側面６３の上端は、図４に示すように、第１上端面６５、第２上端面６６、第３上端面６７とによって構成されている。第１上端面６５は前後方向Ｄ３に後側から側面視において水平方向に延びており、左側面６３の前後方向長さの約４分の３の長さを有する。第２上端面６６は、第１上端面６５の前端から垂直に下方へと延びている。第３上端面６７は、前後方向Ｄ３に第２上端面６６の下端から前側へ向けて側面視に置いて水平に延びており、第３上端面６７の前端は前面６０に達している。第３下端面５７は、左側面６３の前後方向長さの約４分の１の長さを有する。なお、右側面６４についても同様の形状であり、左側面６３と同様に第１上端面６５、第２上端面６６、第３上端面６７とによって構成されている。
【００２７】
図５に本体ケーシング４の左側面４０を示す。上部ケーシング５が下部ケーシング６に被せられて固定された状態では、上部ケーシング５の左側面５３の下端と下部ケーシング６の左側面６３の上端とが組み合わされて目地Ｌを構成する。詳細には、第１上端面６５と第１下端面５５とが組み合わされて第１目地Ｌ１を構成し、第２上端面６６と第２下端面５６とが組み合わされて第２目地Ｌ２を構成し、第３上端面６７と第３下端面５７とが組み合わされて第３目地Ｌ３を構成する。このため、本体ケーシング４の左側面４０には、前後方向Ｄ３に平行に後側の端部から前側へ向けて水平に延びた後、垂直に下方へと延び、さらに前後方向Ｄ３に平行に前側へ向けて水平に延びて前側に達する直線状の形状を有する目地Ｌが表れる。また、第２目地Ｌ２は、前面パネル１３の端面と同一ライン上にある。なお、本体ケーシング４の右側面４１についても同様の目地Ｌが表れ、第１目地Ｌ１、第２目地Ｌ２、第３目地Ｌ３が表れる。
【００２８】
〈固定手段〉
固定手段７，８，９は、上部ケーシング５と下部ケーシング６とを固定する部分であり、第１固定手段７、第２固定手段８、第３固定手段９がある。
［第１固定手段］
第１固定手段７は、図５に示すように、目地Ｌの後側の端部近傍に設けられており、左側面４０および右側面４１にそれぞれ設けられている（図４参照）。第１固定手段７は、目地Ｌの後側の端部近傍において上部ケーシング５と下部ケーシング６とを固定する。第１固定手段７は、上部ケーシング５に設けられる固定部７０と、下部ケーシング６に設けられる被固定部７１とを有している。以下、右側面４１に設けられている第１固定手段７について説明するが、左側面４０に設けられる第１固定手段７も同様の構成である。
【００２９】
固定部７０は、上部ケーシング５の右側面５４の下端近傍であって後側近傍に設けられている。固定部７０は、図６（ａ）に示すように、本体部７２と爪部７３とによって構成されている。本体部７２は、上下方向Ｄ１（第１方向）へと右側面５４の第１下端面５５から突出する板状の小片である。本体部７２の上端は右側面５４の内側に固定されている。爪部７３は、本体部７２の先端に凸設されており、図６（ｂ）に示すように、被固定部７１に係止することによって上部ケーシング５と下部ケーシング６とを固定する。上部ケーシング５の背面側から見た固定部７０の拡大図を図７（ａ）に示す。爪部７３は、本体部７２から上部ケーシング５の左右方向Ｄ２（第２方向）に上部ケーシング５の内側へ向けて突出し左側面５３に対して略垂直な係止面７４を有している。係止面７４は、第１下端面５５に対して僅かに傾斜しており、前側ほど上方へと、すなわち、第１下端面５５へ近接する方向へと傾斜している。
【００３０】
被固定部７１は、下部ケーシング６の右側面６４の上端近傍であって後側近傍に設けられている。被固定部７１は、図６（ａ）に示すように、第１部材７５と第２部材７６とを有している。下部ケーシング６の背面側から見た被固定部７１の拡大図を図７（ｂ）に示す。第１部材７５は、下部ケーシング６の右側面６４に対して固定部７０の本体部７２が挿入される所定隙間を隔てて下部ケーシング６の右側面６４に平行に設けられており、上部ケーシング５と下部ケーシング６とが固定された状態で、本体部７２と左右方向Ｄ２（第２方向）に並んで対向する（図８参照）。第１部材７５の下面は被係止面７７となっている。この被係止面７７は、右側面６４に対して略垂直に設けられている。被係止面７７は、上部ケーシング５の第１下端面５５と下部ケーシング６の第１上端面６５とが組み合わされて対向した状態において、爪部７３の係止面７４と略同じ高さに位置している。被係止面７７は、上部ケーシング５と下部ケーシング６とが固定された状態で、係止面７４と上下方向Ｄ１に並んで対向し、係止面７４の上側において係止面７４に接触する（図８参照）。第２部材７６は、下部ケーシング６の右側面６４から第２方向Ｄ２に平行に下部ケーシング６の内側方向へと突出している。第２部材７６は第１部材７５の後端から垂直に連続しており、下部ケーシング６の右側面６４と第１部材７５とを繋いでいる。また、第２部材７６は、右側面６４と第１部材７５との隙間の後方を閉じており、隙間に挿入された本体部７２の後方向への移動を止める（図６（ｂ）参照）。
【００３１】
図９に示すように、上部ケーシング５の右側面５４の第１下端面５５と下部ケーシング６の右側面６４の第１上端面６５とが組み合わされて対向した状態で、上部ケーシング５が第１目地Ｌ１に平行な方向すなわち前後方向Ｄ３であって後向き（以下、「固定方向」と呼ぶ。白抜き矢印Ａ１参照）にスライドした場合に、係止面７４が被係止面７７の下方へと移動して係止面７４が被係止面７７に接触する。上部ケーシング５がさらに固定方向へスライドすると係止面７４は被係止面７７に対して摺動する。そして、係止面７４は前側ほど上方へ向けて傾斜しているため、係止面７４が固定方向へと進むほど、被係止面７７が係止面７４の傾斜によって係止面７４に押し上げられる。被係止面７７が押し上げられると、被固定部７１が押し上げられることによって、下部ケーシング６の第１上端面６５が押し上げられる。そして、第１上端面６５は、上方に位置する上部ケーシング５の第１下端面５５へ向けて押される。言い換えれば、係止面７４が固定方向へ進むほど、係止面７４が被係止面７７に押し下げられる。係止面７４が押し下げられると、固定部７０が押し下げられることによって上部ケーシング５の第１下端面５５が押し下げられる。そして、第１下端面５５は、下方に位置する下部ケーシング６の第１上端面６５へ向けて押される。このように、第１上端面６５が押し上げられ第１下端面５５が押し下げられることによって第１目地Ｌ１が閉じる方向へと力が加えられる。そして、固定部７０が固定方向へある程度進むと、本体部７２が第２部材７６に当接して、固定部の固定方向への移動が止められる。上部ケーシング５と下部ケーシング６とが固定された状態では、図８に示すように、係止面７４と被係止面７７とが対向して接触した状態となり、係止面７４と被係止面７７とには第１目地Ｌ１が閉じる方向へ力が働く。従って、第１上端面６５と第１下端面５５とは、第１目地Ｌ１が閉じられる方向へと力がかかった状態となる。
【００３２】
［第２固定手段］
第２固定手段８は、螺子止めによって上部ケーシング５と下部ケーシング６とを固定する部分であり、図３に示すように、左固定手段８０、中央固定手段８１、右固定手段８２を有している。左固定手段８０は、本体ケーシング４の前面５０であって左側面４０の目地Ｌの前側の端部近傍に設けられる。左固定手段８０は、本体ケーシング４の前面５０であって左側面４０の第１目地Ｌ１の前側の端部近傍において上部ケーシング５と下部ケーシング６とを固定する。右固定手段８２は、本体ケーシング４の前面５０であって右側面４１の目地Ｌの前側の端部近傍に設けられる。右固定手段８２は、本体ケーシング４の前面５０であって右側面４１の目地Ｌの前側の端部近傍において上部ケーシング５と下部ケーシング６とを固定する。中央固定手段８１は、上部ケーシング５の前面５０の下端近傍および下部ケーシング６の前面６０の上端近傍であって正面視における中央付近に設けられる。中央固定手段８１は、本体ケーシング４の前面５０に表れる上部ケーシング５と下部ケーシング６との境界線の近傍であって正面視における中央付近において上部ケーシング５と下部ケーシング６とを固定する。
【００３３】
第２固定手段８は、固定部８３、被固定部８４および螺子８５をそれぞれ有する。固定部８３は、上部ケーシング５の下端近傍に設けられている。被固定部８４は、図５に示すように、下部ケーシング６の上端近傍に設けられている。固定部８３と被固定部８４とには、螺子孔がそれぞれ設けられている。螺子孔は、上部ケーシング５と下部ケーシング６とが固定された状態で水平方向かつ前後方向に連通して螺子８５と螺合する。第２固定手段８は、固定部８３と被固定部８４との螺子孔が合致した状態で、水平方向かつ前後方向に螺子８５が螺子孔にねじ込まれることによって、上部ケーシング５と下部ケーシング６とが固定される。
【００３４】
なお、第２固定手段８の一部が螺子止め以外の固定手段によって構成されていてもよく、例えば、中央固定手段８１が爪部と爪部に係合する被係合部とによって構成されてもよい。
［第３固定手段］
第３固定手段９は、左側面４０および右側面４１にそれぞれ設けられている。以下、左側面４０に設けられる第３固定手段９について説明するが、右側面４１に設けられる第３固定手段９も同様の構成である。
【００３５】
第３固定手段９は、図５に示すように、左側面４０の第２目地Ｌ２の近傍に設けられており、第１固定手段７と共に目地Ｌに沿って設けられる。第３固定手段９は、第１固定手段７と第２固定手段８との間において、上部ケーシング５と下部ケーシング６とを固定する。第３固定手段９は、図１０に示すように、上部ケーシング５に設けられる固定部９０と下部ケーシング６に設けられる被固定部９１とを有している。第３固定手段９では、固定部９０と被固定部９１とが前後方向Ｄ３から係合することによって、左側面５３，６３の前後方向Ｄ３への動きが規制されて、上部ケーシング５と下部ケーシング６とが固定される。
【００３６】
この第３固定手段９によって、樹脂性ケーシングのたわみによる目地Ｌの中央付近の膨らみを抑制することができる。
〈前面パネル〉
前面パネル１３は、図１に示すように、本体ケーシング４の前面に取り付けられ、室内機１の前面を覆う。前面パネル１３は概ね平滑な表面に形成されており、正面視においては下部ケーシング６の前面の上方に位置する。前面パネル１３の下端は水平な形状となっており、下部ケーシング６の前面の上端と組み合わされることによって室内機ケーシング３の正面視において水平方向に延びる目地を構成する。
【００３７】
〔固定動作〕
この空気調和機１００の室内機１では、以下のようにして上部ケーシング５と下部ケーシング６とが固定される。
図１０に示すように、まず、上部ケーシング５を下部ケーシング６に上下方向Ｄ１から近接させる。このとき、上部ケーシング５と下部ケーシング６とは合致位置から前後に僅かにずれており、上部ケーシング５が合致位置から前方へとずれている。また、第１下端面５５および第１上端面６５、第３下端面５７や第３上端面６７が組み合わされて対向した状態となる。
【００３８】
次に、第１下端面５５および第１上端面６５が組み合わされて対向した状態で、第１目地Ｌ１に沿って、すなわち第１下端面５５や第１上端面６５に平行な前後方向Ｄ３に後方へ向けて上部ケーシング５をスライドさせる。上部ケーシング５がスライドすると、第１固定手段７によって、上部ケーシング５と下部ケーシング６とが目地Ｌの後端近傍で固定される。また、第３固定手段９によって、第２目地Ｌ２の近傍すなわち第２下端面５６や第２上端面６６の近傍において、上部ケーシング５と下部ケーシング６とが固定される。このとき、上部ケーシング５と下部ケーシング６とが合致した状態となる。
【００３９】
そして、上部ケーシング５と下部ケーシング６とが合致した状態において、第２固定手段８において螺子８５が螺子孔に螺合されて、上部ケーシング５と下部ケーシング６とが完全に固定される。
〔特徴〕
（１）
この空気調和機１００の室内機１では、第１固定手段７が目地Ｌの後側端部近傍を固定し、第２固定手段８が目地Ｌの前側端部近傍を固定し、第３固定手段９が目地Ｌの両端部の間を固定する。このように、この空気調和機１００の室内機１では、目地Ｌに沿って両端およびその間が固定されているため、目地Ｌの開きが防止される。
【００４０】
また、目地Ｌの開きが防止されるため、目地Ｌの間隔を均一にすることができる。これにより、空気調和機１００の室内機１の美観が向上する。
（２）
第１固定手段７においては、係止面７４の傾斜によって第１目地Ｌ１が閉じる方向に第１下端面５５と第１上端面６５とが押される。このため、第１目地Ｌ１が閉じられ、第１下端面５５と第１上端面６５とにおける第１ケーシングと第２ケーシングとのガタツキが防止される。
【００４１】
また、目地Ｌを閉じる方向に第１下端面５５と第１上端面６５とが互いに押されるため、目地Ｌの開き方向への動きが規制される。このため、目地Ｌの間隔を均一にすることができる。これにより、空気調和機１００の室内機１の美観が向上する。
〔他の実施形態〕
（１）
上記の実施形態では、嵌め込みによる固定と螺子止めによる固定とが併用されているが、嵌め込みのみ又は螺子止めのみによって目地Ｌの両端が固定されてもよい。
【００４２】
（２）
上記の実施形態では、第１固定手段７の固定部７０の係止面７４が傾斜しているが、被固定部７１の被係止面７７が傾斜していてもよい。
また、係止面７４は前側ほど上方へ向けて傾斜しているが、係止面７４に上方へ向けて突出する突起が設けられてもよい。この場合も、係止面７４が固定方向へ進むほど、係止面７４が被係止面７７に押し下げられ、上記と同様に第１目地Ｌ１が閉じる方向へと力が働く。そして、この場合、固定部７０と被固定部７１との挿入の際に、突起によってクリック感が得られる。また、傾斜が設けられる場合と比べて、係止面７４と被係止面７７との摩擦による異音が低減される。
【００４３】
（３）
上記の実施形態では、図７（ａ）に示すように、爪部７３が上部ケーシング５の内側へ向けて突出しているが、図１１に示すように、爪部７３０が上部ケーシング５の外側へと向けて突出するように形成されてもよい。この場合、下部ケーシング６の右側面６４の内側に、爪部７３０が係止する凹溝部７５０が設けられ、爪部７３０と凹溝部７５０が係止することによって、固定部７０と被固定部７１とが固定される。
【００４４】
【発明の効果】
請求項１に記載の空気調和機の室内機では、第１端面と第２端面とが対向した状態で目地に沿ってスライドすると、係止面および被係止面の少なくとも一方の傾斜によって、係止面および被係止面の一方が他方を目地が閉じる方向へと押す。このため、固定部と被固定部とによって、第１ケーシングと第２ケーシングとが固定されると共に、固定部と被固定部とにおいて目地が閉じられる方向へと力が働く。これにより、この空気調和機の室内機では、目地におけるガタツキの発生を抑えることができる。
【００４５】
請求項２に記載の空気調和機の室内機では、係止面と被係止面とは、目地が表れる第１ケーシングおよび第２ケーシングの平面に対して略垂直に設けられており、第１方向に並んで対向する。このため、係止面と被係止面とが係止することによって、目地に対して略垂直であり且つ目地が表れる第１ケーシングおよび第２ケーシングの平面に平行な方向への第１ケーシングおよび第２ケーシングの移動が規制される。すなわち、目地が開く方向への係止面と被係止面との移動が規制される。従って、係止面と被係止面とが係止することによって、目地の開きが抑えられる。
【００４６】
請求項３に記載の空気調和機の室内機では、本体部と第１部材とが第２方向に並んで対向する状態で、被係止面と係止面とが第１方向に並んで対向する。このため、係止面と被係止面とが、目地に対して略垂直であり且つ平面に平行な方向への移動を互いに規制するように係止する。従って、係止面と被係止面とによって、目地が開く方向への第１ケーシングおよび第２ケーシングの移動が規制され、第１ケーシングと第２ケーシングとが固定される。
【００４７】
請求項４に記載の空気調和機の室内機では、第１端面と第２端面とが対向した状態で目地に沿ってスライドすることによって、本体部が第１部材と平面との隙間に挿入される。従って、固定部の第２方向への移動が平面と第１部材とによって規制される。このため、固定部と被固定部とが安定的に固定される。
請求項５に記載の空気調和機の室内機では、第２部材によって本体部が挿入される隙間の挿入方向の空間が閉じられる。このため、第１端面と第２端面とが対向した状態で目地に沿ってスライドすることによって隙間に挿入された本体部が第２部材によって止められる。これにより、固定部と被固定部とがより安定的に固定される。
【００４８】
請求項６に記載の空気調和機の室内機では、目地は本体ケーシングの側面に表れる。このため、この空気調和機の室内機では、側面における目地の開きが抑えられ、側面におけるガタツキの発生を抑えることができる。
請求項７に記載の空気調和機の室内機では、固定部と被固定部とが本体ケーシングの両側面にそれぞれ設けられることによって、両側面が安定的に固定される。これにより、第１ケーシングと第２ケーシングとの間でのガタツキの発生をより抑えることができる。
【００４９】
請求項８に記載の空気調和機の室内機では、第１ケーシングと第２ケーシングとは上下に組み合わされるため、側面視において水平方向に延びる目地が自重によって上下に開き、目地においてガタツキが発生し易い。しかし、この空気調和機の室内機では、固定部と被固定部とによって目地のガタツキが抑えられる。従って。この空気調和機の室内機では、目地が側面視において水平方向に延びていても目地におけるガタツキの発生を抑えることができる。
【図面の簡単な説明】
【図１】空気調和機の全体図。
【図２】冷媒回路の構成図。
【図３】本体ケーシングの外観斜視図。
【図４】本体ケーシングの外観斜視図。
【図５】本体ケーシングの左側面図。
【図６】（ａ）第１固定手段の斜視図（固定前）。
（ｂ）第１固定手段の斜視図（固定後）。
【図７】（ａ）第１固定手段の固定部の背面視における拡大図。
（ｂ）第１固定手段の被固定部の背面視における拡大図。
【図８】第１固定手段の固定部および被固定部の背面視における拡大図。
【図９】第１固定手段の固定部および被固定部による固定動作を示す図。
【図１０】第１ケーシングと第２ケーシングとの左側面図。
【図１１】他の実施形態における第１固定手段の固定部および被固定部の背面視における拡大図。
【符号の説明】
１          室内機
４          本体ケーシング
５          上部ケーシング（第１ケーシング）
６          下部ケーシング（第２ケーシング）
４０，４１  側面（目地が表れる平面）
５５        第１下端面（第１端面）
６５        第１上端面（第２端面）
７０        固定部
７１        被固定部
７２        本体部
７３        爪部
７４        係止面
７５        第１部材
７６        第２部材
７７        被係止面
１００      空気調和機
Ｄ１        上下方向（第１方向）
Ｄ２        左右方向（第２方向）
Ｌ１        第１目地（目地）
【図１】
2005016746.tif 000003
【図２】
2005016746.tif 000004
【図３】
2005016746.tif 000005
【図４】
2005016746.tif 000006
【図５】
2005016746.tif 000007
【図６】
2005016746.tif 000008
【図７】
2005016746.tif 000009
【図８】
2005016746.tif 000010
【図９】
2005016746.tif 000011
【図１０】
2005016746.tif 000012
【図１１】
2005016746.tif 000013